(57)【要約】本発明は、コンクリート製品を製造するための型枠（１）であって、延長軸（Ｘ）を有する少なくとも１つの支持梁（１０）と、延長軸に対して交差方向（Ｙ）の周りに曲げ可能な少なくとも１つのパネル（２０）と、パネル（２０）を支持梁に接続するとともに、平坦な非変形状態と、外面（２３ａ）が凸状又は凹状である曲げ状態との間で、パネル（２０）の湾曲を変更するように構成された少なくとも１つの調整装置（３０）とを備え、調整装置（３０）は、パネルの少なくとも１つの中間点（２４ａ，２４ｂ）及び少なくとも１つの縁点（２５ａ，２５ｂ）に接続され、パネルの外面（２３ａ）の湾曲を変更するように中間点及び縁点を同時に移動させるために、湾曲の方向（Ｙ）に対して略平行な側縁部（２２ａ，２２ｂ）に配置されている。
2020511605.tif 000002
【特許請求の範囲】
【請求項１】
コンクリート製品を製造するための型枠（１）であって、
延長軸（Ｘ）を有する少なくとも１つの支持梁（１０）と、
コンクリート打設と接触するように定められている外面（２３ａ）を有する少なくとも１つのパネル（２０）であって、内側（２３ｂ）が前記梁に接続され、前記梁の延長軸（Ｘ）に対して交差方向（Ｙ）の周りに曲げ可能なパネル（２０）と、
前記パネル（２０）を前記梁に接続するとともに、平坦な非変形状態と、前記外面（２３ａ）が凸状又は凹状である曲げ状態との間で、前記パネル（２０）の湾曲を変更するように構成された少なくとも１つの調整装置（３０）と、
を備え、
前記調整装置（３０）は、前記パネルの少なくとも１つの中間点（２４ａ，２４ｂ）及び少なくとも１つの縁点（２５ａ，２５ｂ）に接続され、前記パネルの外面（２３ａ）の湾曲を変更するように前記中間点及び前記縁点を同時に移動させるために、湾曲の方向（Ｙ）に対して略平行な側縁部（２２ａ，２２ｂ）に配置されている、
型枠。
【請求項２】
調整装置（３０）は、前記梁（１０）の延長軸（Ｘ）に対して交差する方向に沿って少なくとも中間点（２４ａ，２４ｂ）を移動させるとともに、前記延長軸（Ｘ）に対して略平行な方向に沿った前記縁点（２５ａ，２５ｂ）、又は、前記延長軸（Ｘ）に対して平行な少なくとも１つの部品における前記縁点（２５ａ，２５ｂ）を移動させるように構成された少なくとも１つの駆動機構（３１，３１ａ，３１ｂ，４１，４２）を備える、請求項１に記載の型枠（１）。
【請求項３】
前記駆動機構（３１，３１ａ，３１ｂ，４１，４２）は、少なくとも前記中間点（２４ａ，２４ｂ）と前記縁点（２５ａ，２５ｂ）とを同時に移動させるように構成された機械的な相互接続部材を備える、請求項２に記載の型枠（１）。
【請求項４】
前記駆動機構（３１，３１ａ，３１ｂ，４１，４２）は、ギア、連結機構、又はそれらの両方を備える、請求項２又は３に記載の型枠（１）。
【請求項５】
前記調整装置は、前記パネル（２０）の少なくとも１つの中間点（２４ａ，２４ｂ）と、対向する前記側縁部（２２ａ，２２ｂ）の少なくとも１つの縁点（２５ａ，２５ｂ）とにそれぞれ作用する一対の調整機構（３１ａ，３１ｂ，４１，４２）を備え、
前記中間点及び前記縁点は、前記パネル（２０）の中心線に対して対称である、請求項２〜４のいずれか１つに記載の型枠（１）。
【請求項６】
前記調整機構（３１ａ，３１ｂ，４１，４２）は、少なくとも１つの中間点（２４ａ，２４ｂ）と、前記パネルの互いに対向する側縁部（２２ａ，２２ｂ）のそれぞれにおける少なくとも２つの縁点（２５ａ，２５ｂ）とに接続されている、請求項２〜４のいずれか１つに記載の型枠（１）。
【請求項７】
前記駆動機構（３１，３１ａ，３１ｂ，４１，４２）は、力又は移動、或いは、トルク又は回転移動、或いはそれらの両方が加えられる制御部材（３８ａ，４７）を備え、前記制御部材（３８ａ，４７）の平行移動又は回転移動を伝達し、必要に応じて少なくとも前記中間点（２４ａ，２４ｂ）及び前記縁点（２５ａ，２５ｂ）を調整又は移動させるように構成されている、請求項２〜６のいずれか１つに記載の型枠（１）。
【請求項８】
前記パネル（２０）の内側（２３ａ）には、少なくとも前記中間点（２４ａ，２４ｂ）及び前記縁点（２５ａ，２５ｂ）に配置され、前記調整装置（３０）に接続された支柱（２６ａ，２６ｂ，２７ａ，２７ｂ）が設けられている、請求項１〜７のいずれか１つに記載の型枠（１）。
【請求項９】
前記駆動機構（３１ａ、３１ｂ）は、
前記梁（１０）の延長軸（Ｘ）に対して略垂直な方向（Ｚａ）に沿って摺動し、前記中間点（２４ａ，２４ｂ）で前記パネル（２０）に接続された少なくとも１つの第１のスライド（３２）と、
前記梁（１０）の前記延長軸（Ｘ）に対して略平行な方向（Ｘａ）に沿って摺動し、前記縁点（２５ａ，２５ｂ）で前記パネル（２０）に接続された少なくとも１つの第２のスライド（３３）と、を備え、
前記第１のスライド（３２）と前記第２のスライド（３３）とは、伝達部材によって接続されている、請求項２〜８のいずれか１つに記載の型枠（１）。
【請求項１０】
前記伝達部材は、前記第１のスライド（３２）及び前記第２のスライド（３３）にそれぞれ関連付けられた第１のラック（３４）及び第２のラック（３５）と、当該ラックに係合する少なくとも１つのギアホイール又はギヤ（３６）とを備える、請求項９に記載の型枠（１）。
【請求項１１】
前記伝達部材は、前記第１のラック（３４）と前記第２のラック（３５）との間に介在するギア列（３６ａ，３６ｂ，３６ｃ）を備える、請求項１０に記載の型枠（１）。
【請求項１２】
前記第１のスライド（３２）は、摺動方向（Ｚａ）の周りに回転可能に取り付けられ、
前記伝達部材は、
前記第１のスライド（３２）と共に回転する第１の傘歯車（３９ａ）と、
前記第１の傘歯車（３９ａ）に噛み合う第２の傘歯車（３９ｂ）と、
前記第２の傘歯車（３９ｂ）と共に回転し、前記第２のスライド（３３）の移動方向（Ｘａ）に平行な軸を中心として回転可能なねじ付き棒（３９ｃ）と、
前記第２のスライド（３２）に取り付けられ、前記ねじ付き棒（３９ｄ）に係合するリードスクリュー（３９ｄ）と、
を備える、請求項９に記載の型枠（１）。
【請求項１３】
前記制御部材（３８ａ）は、前記第１のスライド（３２）に接続されるか、或いは、前記第１のスライド（３２）と一体である、請求項７及び１２に記載の型枠（１）。
【請求項１４】
前記駆動機構（４１，４２）は、制御部材（４７）に接続された連結ロッド（４３，４４，４５）を備える、請求項２〜８のいずれか１つに記載の型枠（１）。
【発明の詳細な説明】
【技術分野】
【０００１】
本発明は、コンクリート製品、特に、トンネルの内壁（lining）などの湾曲した外形を有する製品を製造するための型枠に関する。
【０００２】
より詳細には、本発明は、前記製品の少なくとも１つの表面の湾曲を変えるように構成された型枠に関する。
【背景技術】
【０００３】
建設分野、特にインフラストラクチャや建物の建設では、コンクリート製品の製造に型枠が使用されている。流動状態のコンクリートは、これらの型枠に注がれ、セット時に所望の形状になる。
【０００４】
これらの型枠、特にトンネル、橋などの大規模インフラストラクチャの生産に使用される型枠は、一般に、「シャッター」と呼ばれる収容パネル又はシートを支持する少なくとも１つの剛性構造部材を備えている。
【０００５】
シャッターは、コンクリート打設に対して直接接触する型枠の一部であり、それに接触する製品の表面に幾何学的形状を与えるように設計されている。
【０００６】
その代わりに、構造部材は、打設によって表面に加えられた力を支持フレームに伝達するタスクを有している。曲面を形成するための型枠において、構造部材は、表面を形成するパネルの湾曲を付与して維持するタスクも有している。
【０００７】
トンネル又は他の同様の構造物を作製するために、一般に、複数の型枠がトンネルの方向に対して交差する方向に並べて配置され、様々なパネルがトンネルの側壁の周囲の一部又は全てに広がる湾曲した連続面を形成する。
【０００８】
前記型枠を製造する既知の方法によれば、シャッターを形成するパネルはそれぞれ、所定の形状又は固定された湾曲を有している。
【０００９】
一般に、典型的には金属シートであるパネルの湾曲は、構造部材とパネルとの間に挿入された剛性中間部材によって付与されるか、或いは、構造部材によって直接的に付与される。
【００１０】
剛性中間部材が設けられる場合、剛性中間部材は、構造部材に平行に配置されたボードを備えることができ、ボードは、パネルの内面が載る湾曲した外縁部、又は、パネルが取らなければならない湾曲に応じた所定の長さをそれぞれ有する複数の支柱を備えている。
【００１１】
このようにして製造された型枠は、例えば、欧州特許出願公開第１０９６１０５号明細書、欧州特許出願公開第２４７２０５７号明細書、国際公開第２０１４／１４１０８３号、及び国際公開第２０１４／１８０８４１号に記載されている。
【００１２】
したがって、これらの既知の型枠、又は少なくともその一部は、建設する特定の構造物（トンネル）の仕様に従って特別に建設する必要があり、同一のトンネルでない限り再利用できないとともに、全ての型枠を配置してから具体的な打設作業を開始する必要があるので、コストが増加する。
【００１３】
また、建設分野において、パネルの湾曲を変えて異なる仕様のトンネルの外形に適応するように構成された既知の汎用の型枠がある。
【００１４】
この種の型枠の既知の例は、独国特許出願公開第１９０２９７１号明細書に示されている。詳細には、型枠は、ねじ付き棒によって曲げることができるパネルに接続された支持梁を備えている。前述のねじ付き棒の長さを調整することによって、パネルに特定の湾曲を付与することができる。しかしながら、この動作では、所望の外形になるまで各ねじ付き棒をねじ締めする又はねじを外す必要があるため、かなりの時間を費やす。同様の型枠は、欧州特許出願公開第２４７２０５７号明細書にも示されている。
【００１５】
また、独国特許出願公開第４０１１９０７号明細書及び独国特許出願公開第３８４１５７９号明細書には、電動モータによって駆動する油圧ピストン又はねじ付き棒によってパネルの湾曲が変化する型枠が記載されている。しかしながら、これらのシステムでは、型枠の製造コスト及び保守コストの両方を大幅に増加させる必要がある。実際、パネルの所定の湾曲を得るには、パネルの様々な点に作用する様々なアクチュエータの動作を管理するための制御システムが必要である。更に、これらの理由から、この方法で製造された型枠は、製品の建設の停止又は遅延を引き起こし、かなりの金銭的損失をもたらす障害になりやすい。最後に、電気又は電子デバイスの存在は、誤作動の場合の事故のリスクを高めることがある。
【００１６】
欧州特許出願公開第１８８４６０８号明細書には、曲げられるパネルの中央領域の２点に固定的に接続された支持梁と、支持梁とパネルの縁部近傍の各点に接続された２つのヒンジとを備え、パネルを曲げるために前記各点に引張力を及ぼすように構成された曲面形成用の型枠が記載されている。しかしながら、弾性を有する支柱を使用しない限り、パネルの中央部と梁との間の制約によって、湾曲の半径の減少に限界があり、特にトンネルなどの構造物において、コンクリートに圧力がかかったときに、パネルの完全な形状を確保することはできない。
【００１７】
仏国特許出願公開第２９４４５４１号明細書には、前面と後面とを有するパネルを備えた調整可能な湾曲を有する型枠を製造するためのシステムが記載されている。パネルには、複数の固定補強リブが設けられている。当該複数の固定補強リブは、パネルの前面の湾曲を増減するために、リブの間の空間を増減するように構成された複数のジャッキによって互いに接続されている。
【発明の概要】
【発明が解決しようとする課題】
【００１８】
したがって、建設分野においては、従来技術の機器の限界を克服する、曲線外形を有するコンクリート製品（特に限定されるものではないが、トンネルの内壁など）を製造するための型枠を提供する必要がある。
【００１９】
具体的には、本発明の目的は、異なる外形及び湾曲を有する曲面を備える製品を製造するために複数回再利用できる型枠を提案することにある。
【００２０】
また、本発明の目的は、パネルの外形及び湾曲の調整のための動作を迅速且つ実用的に実行できる型枠を提供することにある。
【００２１】
本発明の別の目的は、例えば、一定の半径、或いは、対称又は非対称の可変半径で、異なる湾曲のパネルを得ることができる型枠を製造することにある。
【００２２】
本発明の別の目的は、構造的に単純で、結果として頑丈で信頼性の高い調整機構を備えた型枠を製造することにある。
【００２３】
本発明の更なる目的は、既知の型枠に対してより安価な型枠を提供することにある。
【課題を解決するための手段】
【００２４】
これらの目的及び他の目的は、少なくとも１つの構造支持梁と、当該構造支持梁に接続され、湾曲方向の周りに曲げることができる少なくとも１つのパネルとを備える型枠によって達成される。詳細には、前記湾曲方向は、梁の延長軸に対して交差する（好ましくは、垂直な）する方向である。
【００２５】
上記及び下記において、延長軸という用語は、梁のより大きな寸法の方向に向けられた軸をいう。特に、前記軸は、梁の端部間で延在し、平坦な又は非変形状態のパネルの表面に対して略平行である。
【００２６】
本発明に係る梁は、形状及びサイズが一定又は可変の断面を有する外形を有することができるように、必ずしも直線状ではなく、例えば部分的又は完全に湾曲した任意の形状を有してもよい。
【００２７】
パネルの内側は調整装置によって梁に接続され、パネルの外側はコンクリート打設を受けるようになっている。
【００２８】
本発明によれば、前記調整装置は、平坦な非変形状態と、外面が典型的には凸状である湾曲状態との間でパネルの湾曲を変化させるように構成されている。しかしながら、型枠は、反対に湾曲、すなわち、パネルの外面が凹状になるように構成されてもよい。
【００２９】
更に、調整装置は、コンクリート打設がパネルに及ぼす力を支持梁に伝達する役割を有する。
【００３０】
本発明の有利な第１態様によれば、調整装置は、パネルの少なくとも１つの中間点及び少なくとも１つの縁点でパネルに接続され、梁に対する位置を変えるために前記点に同時に作用する。
【００３１】
前記縁点は、湾曲の軸に対して平行なパネルの外側の側縁部又はその近傍にあることが好ましい。通常、縁点は、下部パネルの縁部から４０ｃｍ未満、好ましくは２０ｃｍ未満の距離に位置している。その代わりに、中間点は、縁点とパネルの中心線（後者を含む）との間の任意の点であってもよい。
【００３２】
中間点が１つしかない場合は、パネルの中心線にあることが好ましい。しかしながら、中間点は、複数、例えば２以上であってもよい。
【００３３】
以下、中間点及び縁点という用語は、前述の点の近傍のパネル上の外接領域をいい、必ずしも特定の点ではない。
【００３４】
少なくとも縁点及び中間点の移動により、少なくともそれらの間の部分でパネルが曲げられる。より詳細には、縁点及び中間点は、パネルが変形していないとき、それらが同じ平面上にある位置と、互い違いに平行な平面上にある位置との間で移動する。
【００３５】
したがって、本発明の装置は、前述の２つの点の移動として単純化される曲げ動作を可能にし、その結果として得られる湾曲が、同時に協調した態様、好ましくは予め決められた態様で生じる。
【００３６】
本発明の一態様によれば、パネルの内側に複数の支柱が取り付けられ、当該複数の支柱は湾曲の方向に対して平行な方向にパネルの長さの一部又は全体にわたって延在する。
【００３７】
より正確には、パネルには、少なくとも１つの縁点及び少なくとも１つの中間点に支柱が設けられている。
【００３８】
調節装置は、パネルに加えられる力をその長さの全体又は一部に分散し、所望の方向に対して交差する方向にパネルが曲がらないように、支柱に接続可能である。
【００３９】
本発明の一態様によれば、調整装置は、梁の延長軸に対して交差する方向に沿った少なくとも中間点の移動と、前記延長軸に対して略平行な方向に沿って、或いは、前記延長軸に対して平行な少なくとも１つの部品において縁点の移動が同時に生じるように構成された少なくとも１つの駆動機構を備える。
【００４０】
パネルの非変形状態から開始して、中間点を梁から離すとともに端点を梁又はパネルの中心線に向かって移動させたとき、パネルの外面は凸状に湾曲する。前述の点がそれぞれ反対方向に移動すると、この湾曲は、ゼロまで減少するか、必要に応じて逆になる。
【００４１】
したがって、好適な実施形態によれば、駆動機構は、パネルに対して縁点の中心線に向けて中間点に外向きの推力を同時に加えるか、或いは、その逆になるように構成される。
【００４２】
本発明の好適な変形例によれば、前記機構は、少なくとも中間点及び縁点の同時移動を引き起こすように構成された機械的な相互接続部材を備える。好ましくは、前記相互接続部材は、本質的に機械的な部材、すなわち電気的又は電気機械的ではない部材を備える。
【００４３】
このようにして製造されたデバイスは、より信頼性が高く、湿気、汚れ、破片などがある環境下での長期使用に適している。また、このデバイスは、火災、爆発などの危険がある環境下で使用しても安全である。
【００４４】
いくつかの好適な実施形態によれば、前記機構は、ギア、連結機構、又は上記の組み合わせである機構を備えている。
【００４５】
本発明の一態様によれば、駆動機構は、中間点及び縁点の移動を引き起こすために、力又は移動、或いは、トルク又は回転を加えることができる制御部材を備えている。可能な変形例によれば、これらの力又は移動は、必ずしもではないが、支持梁の延長軸に対して略交差方向又は略平行な方向であることが好ましい。
【００４６】
これらの力又は移動は、駆動機構から少なくとも中間点及び縁点に伝達され、これらの点を移動させてパネルを曲げる。これらの移動及び回転は、必要に応じて幅を変化させ、例えば、パネルの前記点の平行移動に変換される制御部材の回転移動の場合には変形させる。
【００４７】
したがって、単一の制御部材に作用することにより、梁に対するパネルの前記点の少なくとも２つ以上、又は必要に応じてそれらの全ての移動を同時に生じさせて、梁を曲げることができる。したがって、駆動機構は、制御部材に作用して、パネルの表面の一部又は全体に所望の湾曲を付与することができる。
【００４８】
本発明の一態様によれば、調整装置は、パネルの少なくとも１つの中間点及び対向する側縁部の縁点にそれぞれ作用する一対の駆動機構を備えてもよい。好ましくは、中間点及び縁点は、パネルの中心線に対して対称である。
【００４９】
前記一対の駆動機構は、中心線に対して対称な湾曲を有するパネルの外形を得るために、協調して制御してもよい。或いは、前記一対の駆動機構は、パネルの両側に対して非対称で異なる湾曲を有する外形を得るために、独立して制御してもよい。
【００５０】
本発明の別の態様によれば、駆動機構は、中間点に接続された少なくとも１つの第１の駆動部材と、縁点に接続された少なくとも１つの第２の駆動部材とを備えている。第１及び第２の駆動部材は、伝達部材によって互いに接続されている。
【００５１】
制御部材は、通常、相互接続される前記駆動部材の１つに接続され、制御部材に加えられる動作、力、又は移動をパネルのいくつかの点に伝達することを可能にする。
【００５２】
本発明の変形例では、第１の駆動部材は、梁の延長軸に対して略垂直な方向に沿って摺動する第１のスライドを備え、第２の駆動部材は、前記延長軸に対して略平行な方向に沿って摺動する第２のスライドを備える。したがって、前述の摺動する方向は、互いに略垂直である。
【００５３】
スライドは、ガイド、スリーブなどによって梁に取り付けられている。
【００５４】
更に、スライドは、パネルの湾曲が変化するように中間点及び縁点を移動させるために、パネルに、より正確には中間点及び縁点に、直接的又は間接的に接続される。
【００５５】
通常、スライドは、各中間点及び縁点に位置する支柱に接続される。
【００５６】
スライドがヒンジによって支柱に接続されるか、或いは、２つの部材が単に互いに支え合ってもよい。通常、中間点に作用する第１のスライドは、支柱に単に支えられているのに対して、縁点に作用する第２のスライドは、各支柱にヒンジ接続されている。
【００５７】
第１の実施形態において、伝達部材は、第１及び第２のスライドにそれぞれ関連付けられた第１及び第２のラックと、前述の両方のラックに係合し、梁上で回転可能な少なくとも１つの歯車又はギアとを備える。
【００５８】
したがって、２つのスライドの平行移動は、ギアによって互いに拘束される。特に、パネルの内側に向かう第１のスライドの移動は、パネルの中心線に向かう第２のスライドの移動に対応し、逆もまた同様である。
【００５９】
パネルの内面に向かって直接的に推力を第１のスライドに加えることによって、中間点が梁から離れるように移動する一方、縁点が中心線に向かって移動する。それにより、パネルの表面が凸状に湾曲する。この変形例において、制御部材は、第１のスライドの下端部に接続されるか、その一部である。
【００６０】
２つの駆動機構を備える変形例において、これらは、パネルの中心線に対して対称に配置されることが好ましい。
【００６１】
両方の第１のスライドに推力を加えることによって、パネルの完全な湾曲を得ることができる。また、第１のスライドは、例えば、ロッドなどによって互いに一体化することができ、単一の推力点に作用することによって、全てのスライドを等しく移動させることができ、それにより、パネルの完全で対称的な湾曲を得ることができる。
【００６２】
本発明の別の変形例によれば、第１及び第２のラックは、ギア列によって接続することができる。このようにして、第１のスライドの移動と第２のスライドの移動との間にギア比を導入することができる。前記ギアの一部又は全てを交換することにより、ギア比を変更して、パネルの外形の異なる形状、例えば、要求に応じた一定半径又は可変半径を得ることができる。
【００６３】
本発明の別の変形例によれば、調整装置は、中間点でパネルに接続された第１のスライドと、各縁点で接続された２つの第２のスライドとを有する駆動機構を備えている。
【００６４】
この変形例において、駆動機構は、第１のスライドのラックと２つの第２のスライドの２つのラックとに同時に係合する少なくとも一対のギア又はギア列を備えている。この場合も、第１のスライドの移動により、２つの第２のスライドの移動が等しく反対方向に生じる。
【００６５】
本発明の別の変形例によれば、伝達部材は、第１のスライドと回転一体の第１の傘歯車と、第１の傘歯車に係合する第２の傘歯車とを備えている。第１のスライドは、摺動する方向と一致又は平行な軸を中心として回転可能である。
【００６６】
第２の歯車とねじ付き棒とは一体的に回転し、両方とも、第２のスライドの摺動する方向に対して平行な軸を中心として回転する。ねじ付き棒に噛み合うリードスクリューが第２のスライドに取り付けられている。そのため、ねじ付き棒の回転によって、摺動する方向に沿って第２のスライドが平行移動する。
【００６７】
好ましくは、第１のスライドは、シャフトを備え、その外面は、その回転軸に沿って第１のギアホイール内で摺動する外形を備える。
【００６８】
前記シャフトは、例えば、第１の傘歯車のそれぞれの座部に連結し、前記回転のための部材を拘束するために、溝付きの外形、又は多角形断面、例えば、正方形、長方形、又は六角形（いずれの場合も円形ではない）を有してもよい。
【００６９】
この変形例において、制御部材は、第１のスライドに接続されるか、或いは、第１のスライドと一体である。好ましくは、制御部材は、梁の座部にねじ込むことができるねじ付きピンを備える。ねじ付きピンは、その締め付け又は緩めの結果として、第１のスライドの摺動する方向に平行な方向に沿って移動可能である。通常、ねじ付きピンは、シャフトの下端部に接続される。
【００７０】
制御部材（すなわち、ねじ付きピン）に対して一方向にトルク又は回転を加えることによって、第１のスライド（すなわち、シャフト）がパネルの内面に向けて回転して押し出される。同時に、第１のスライドによって回転する第１のギアホイールが、第２のギアホイールとねじ付き棒とを回転させる。このねじ付き棒がリードスクリューの移動を引き起こし、その結果、第２のスライドがパネルの中心線に向かって平行移動する。
【００７１】
このようにして、パネルの中間点が梁から遠ざかる一方で、縁点が中心線に向かって移動し、パネルの外面の凸状の湾曲が得られる。
【００７２】
制御部材を反対方向に回転させると、凸状の湾曲が減少するか、或いは、必要に応じて反転する。
【００７３】
本発明の別の変形例によれば、駆動機構は、制御部材に接続されたヒンジロッドを備えている。
【００７４】
詳細には、駆動機構は、
中間点でパネルにヒンジ接続された第１のロッドと、
縁点でパネルにヒンジ接続された第２のロッドと、
第１支持梁にヒンジ接続され、中間点で、第１のロッドにヒンジ接続された第３のロッドと、
を備える。
【００７５】
より正確には、前記第１のロッド及び前記第２のロッドは、それぞれ中間点に位置する支柱及び縁点に位置する支柱に接続されている。
【００７６】
制御部材は、第２のロッド及び第３のロッドに接続され、梁の延長軸に対して略平行な方向に沿って移動することができる。
【００７７】
本発明の一態様において、制御部材は、摺動支柱を備えるか、或いは、好ましくは、梁に接続された支持体にねじ込むことができるねじ付き棒を備える。
【００７８】
制御部材がパネルの中心線に向かって移動するとき、パネルの中心線に向かって移動する縁点で引張り作用を及ぼす第２のロッドの移動が生じ、パネルが曲がる。典型的には、端点は、延長軸に対して略交差する方向にも梁に向かって移動する。
【００７９】
３本のロッドの幾何学的な高さに応じて、第３のロッドが回転して第１のロッドを多少移動させ、パネルの中間点を移動させることができる。この動きは、梁から離れて、或いは、梁に向かって生じ得る。いずれの場合でも、パネルの湾曲は、中間点と縁点との相対的な移動によって生じる。
【００８０】
ロッド及びヒンジ部の幾何学的な高さの変化により、一定半径又は可変半径のパネルの湾曲が可能になる。
【００８１】
また、この変形例によれば、調整機構は、別個の制御部材によって独立して、又は単一の制御部材によって協調した態様で作動して、パネルの対称的な湾曲を得ることができる。
【００８２】
本発明の更なる特徴及び利点は、添付の図面に示されるような型枠の好適であるが排他的ではない実施形態の例の説明からより明らかになるであろう。
【図面の簡単な説明】
【００８３】
【図１】本発明の変形例に係る型枠の正面図であって、パネルが平坦又は非変形状態にある図である。
【図２】図１の型枠において、パネルが湾曲状態にある図である。
【図３】本発明の別の変形例に係る型枠の正面図であって、パネルが平坦又は非変形状態にある図である。
【図４】図３の型枠において、パネルが湾曲状態にある図である。
【図５】本発明の更なる変形例に係る型枠の正面図であって、パネルが平坦又は非変形状態にある図である。
【図６】図５の型枠において、パネルが湾曲状態にある図である。
【図７】本発明の更なる変形例に係る型枠の正面図であって、パネルが湾曲状態にある図である。
【図８】本発明の更なる変形例に係る型枠の正面図であって、パネルが湾曲状態にある図である。
【図９】本発明の更なる変形例に係る型枠の正面図であって、パネルが湾曲状態にある図である。
【図１０】本発明の更なる変形例に係る型枠の正面図であって、パネルが湾曲状態にある図である。
【図１１】図３の変形例に係る型枠を備える、湾曲製品を製造するための機器の正面図である。
【発明を実施するための形態】
【００８４】
添付の図面を参照すると、符号１は、全体として、少なくとも１つの曲面を有するコンクリート製品又は同等の建設材料を製造するための型枠を示している。
【００８５】
型枠１は、少なくとも１つの支持梁１０と、製品の表面に湾曲形状を付与するように構成された「シャッター」を画定する少なくとも１つのパネル２０とを備えている。
【００８６】
図示の例において、梁１０は、主軸Ｘに沿って延在する直線状の外形を有している。好ましくは、前記外形は、例えば、背中合わせの二重ＵＰＮ外形（back-to-back double UPN profile）を持つ一定断面、或いは、機械工学及び建設で一般的に使用される他の形態を備えている。
【００８７】
このようにして、多くのサプライヤが提供する既製の材料を利用して、生産コストを制限することができる。
【００８８】
しかしながら、梁１０は、例えば部分的又は全体的に湾曲した、或いは、１以上の湾曲した側面を備えた任意の形状を有してもよい。この場合、延長軸Ｘは、梁１０の最大寸法の方向に配置され、パネル２０が平坦であるとき、パネル２０に対して平行である。
【００８９】
好ましくは、梁１０は、コンクリート打設によってパネルに伝達される応力を支持するのに適した金属又は他の金属で構成される。使用中の型枠の配置に応じて、これらの力は、打設の静圧推力によって生じるか、或いは、トンネルの丸天井などを製造する場合にはその重量によって生じる。
【００９０】
パネル２０は、それが作製される材料の機能として異なる厚さを有する平坦なシートを備える。典型的には、パネルは、鋼鉄などの金属で作製されるが、木又は積層プラスチック材料で作製されてもよい。いずれにしても、前記厚さは、パネルが損傷することなく使用されると同時に、変形することなく打設によって加えられる圧力に耐えることができる厚さである。
【００９１】
典型的には、パネル２０は、梁１０の延長軸Ｘに対して平行な前縁部２１及び後縁部（図面では見えない）と、延長軸Ｘに対して実質的に垂直な２つの側縁部２２ａ，２２ｂとを有する長方形又は正方形の形状を有している。
【００９２】
パネル２０の寸法は、要求に応じて変えることができる。一般的に、パネルのＸ方向の幅は０．３ｍから３ｍであり、長さは０．５ｍから６ｍである。
【００９３】
パネル２０の長さの機能として、型枠１は、例えばパネルの長手方向の中央部に単一の梁１０を備え、パネルの前縁部と後縁部とに２つの梁１０を備えてもよい。また、型枠１は、パネルの前縁部と後縁部との間に配置された更なる梁１０を備えてもよい。
【００９４】
パネル２０は、内面２３ｂで梁１０に接続されている。内面２３ｂは、添付の図面では下向きになっている。その代わりに、外面２３ａは、コンクリート打設に接触するようになっている。
【００９５】
既に前述したように、パネル２０は、全体として符号３０で示される調整装置を介して梁１０に接続される。調整装置は、梁１０の軸Ｘに対する交差方向Ｙの周りのパネル２０の湾曲の両方の変化を可能にし、打設によって加えられた力を梁に伝達する。
【００９６】
図示の例において、パネル２０は、図１、図３、図５、及び図７で見ることができる平坦又は非変形状態から始まり、図２、図４、図６、及び図８で見ることができるように、外面２３ａが凸状になるように曲げることができる。
【００９７】
この湾曲は、連続的であってもなくてもよく、外面２３ａの全部又は一部であってもよい。
【００９８】
図１〜図６に示される本発明の実施形態によれば、調整装置３０は、第１の駆動機構３１ａと第２の駆動機構３１ｂとを備えている。
【００９９】
各駆動機構は、中間点２４ａ，２４ｂでパネル２０に接続された少なくとも１つの第１の駆動部材と、縁点２５ａ，２５ｂでパネル２０に接続された少なくとも１つの第２の駆動部材とを備えている。
【０１００】
図１及び図２に示される本発明の第１の変形例において、第１の駆動部材は、梁１０上のガイド１２に取り付けられた第１のスライド３２を備えている。ガイド１２により、スライド３２は、梁１０の軸Ｘに対して略交差する（好ましくは垂直な）方向Ｚａに沿ってスライドすることができる。
【０１０１】
第２の駆動部材は、梁１０上の各ガイド１３に取り付けられた第２のスライド３３を備えている。ガイド１３により、スライド３３は、梁１０の軸Ｘに対して略平行な方向Ｘａに沿ってスライドすることができる。
【０１０２】
スライド３２，３３の移動は、梁１０にヒンジ接続されたギアホイール３６と協働するように構成され、それぞれスライド３２，３３に関連付けられた２つのラック３４，３５を備える伝達部材によって管理される。ラック３４，３５の引張応力（modulus）とギアの引張応力とが同一であるので、２つのスライド３２，３３は、それぞれの方向Ｚａ，Ｘａに同じ振幅の運動を実行するように拘束されている。
【０１０３】
好ましくは、第１のスライド３２は、梁１０の下側から突出し、図に示されていない制御部材に接続可能な下部３２ａを有する。制御部材は、第１のスライド３２に推力を加えるものである。制御部材は、第１のスライド３２の一部を備えても、場合によっては下端部を備えてもよいし、第１のスライド３２と協働する別の部材であってもよい。
【０１０４】
その代わりに、スライド３２の上端部３２ｂは、パネル２０の中間点２４ａ，２４ｂに置かれている。
【０１０５】
好ましい変形例によれば、パネル２０の内面２３ｂには、好ましくは前縁部と後縁部との間のパネル２０の長さ全体にわたって、支柱２６ａ，２６ｂ，２７ａ，２７ｂが取り付けられている。支柱２６ａ，２６ｂ，２７ａ，２７ｂは、好ましくは金属、木材、又は他の十分に強い材料で作製され、中空の開放断面又は中実断面を持つ外形を有してもよい。
【０１０６】
本発明によれば、支柱２６ａ，２６ｂ，２７ａ，２７ｂは、少なくとも各中間点２４ａ，２４ｂ及び縁点２５ａ，２５ｂでパネルに固定されている。
【０１０７】
図示の変形例において、スライド３２の上端部３２ｂには角形支持体３７が固定されており、角形支持体３７は支柱２４ａ，２４ｂの下部に接触して静止するように構成されている。
【０１０８】
ねじ３７ｂは、角形支持体３７に取り付けられ、パネル２０の交差方向の移動を回避するために、支柱２６ａ，２６ｂの一方の側に向けて多かれ少なかれ突出するように調整可能である。
【０１０９】
その代わりに、第２のスライド３３は、縁点２５ａ，２５ｂで支柱２７ａ，２７ｂにヒンジ接続されている。
【０１１０】
第１のスライド３２が、例えば下端部３２ｂに力を加えることによってパネル２０の内面２３ｂに向かって方向Ｚａに平行移動されるとき、中間点２４ａ，２４ｂは、梁１０から離れて図２の上方に押し出される。
【０１１１】
同時に、両方のラック３４，３５に係合するギアホイール３６が回転して、第２のスライド３３をパネル２０の中心線に向かって引き寄せ、縁点２５ａ，２５ｂを移動させる。
【０１１２】
得られる効果は、外面２３ａが凸状であるパネル２０の湾曲である。
【０１１３】
駆動機構３１ａ，３１ｂの両方が協調して動作するとき、中間点２４ａ，２４ｂ及び縁点２５ａ，２５ｂの移動は、図２の例のように、パネル２０の中心線に対して対称的である。
【０１１４】
第１のスライド３２に反対方向の力を加えることによって、第１及び第２のスライド３２，３３はそれぞれ反対方向に平行移動し、パネル２０の湾曲が減少する。
【０１１５】
一般的に、パネル２０は、前記力Ｆが除去されると、図面に示されているように、非変形位置又は平坦な位置に戻るのに十分な弾性を有する。
【０１１６】
このため、駆動機構３１ａ，３１ｂは、所望の湾曲に達した後、少なくとも第１のスライド３２の平行移動を制限するためのブロッキング手段を備えることが好ましい。
【０１１７】
図３及び図４は、図１及び図２の型枠の変形例を示している。
【０１１８】
駆動機構の動作は、上述のものと実質的に同一である。
【０１１９】
しかしながら、この場合、２つのラック３４，３５は、ギア列３６ａ，３６ｂ，３６ｃによって接続されている。梁１０にヒンジ接続された第１のギア３６ａは、第１のスライド３２のラック３４に係合している。第２のギア３６ｂは、第１のギア３６ａに対して同軸で回転一体に取り付けられている。第３のギア３６ｃは、第２のギア３６ｂ及び第２のスライド３３のラック３５に係合している。
【０１２０】
この場合、第１及び第２のスライド３２，３３の移動間の伝達比は１でなくてもよい。様々なギアの歯数の関数として、一定の半径又は必要に応じて可変半径を有する湾曲を得るために、前記比率を変更してもよい。
【０１２１】
図５及び図６は、異なる伝達部材を備えた本発明の別の好適な変形例を示している。
【０１２２】
この変形例において、駆動機構３１ａ，３１ｂは、梁１０の軸Ｘに対して略交差する（好ましくは垂直な）方向Ｚａに沿って摺動する第１のスライド３２と、梁１０の軸Ｘに対して略平行な方向Ｘａに沿って摺動する第２のスライド３３とを備えている。スライド３２，３３は、各中間点２４ａ，２４ｂ及び縁点２５ａ，２５ｂにそれぞれ接続されている。
【０１２３】
この変形例において、第１のスライド３２は、軸Ｚａを中心として回転可能なスプライン軸又は同等の形状である。前記スプライン軸は、第１の傘歯車３９ａと一体的に回転し、それに関連して軸Ｚａに沿って摺動する。また、第１の傘歯車３９ａは、第２のスライド３３の摺動方向Ｘａに対して平行な軸を中心として回転する第２の傘歯車３９ｂに係合する。第２の傘歯車３９ｂは、ねじ付き棒３９ｃに接続され、一体的に回転する。ねじ付き棒３９ｃは、第２のスライド３３に取り付けられたリードスクリュー３９ｄに係合している。
【０１２４】
スプライン軸３２の下端部は、梁上に得られた又はそれに取り付けられた各座部３８ｂにねじ込み可能なねじ付きピン３８ａに接続されている。ねじ付きピン３８ａは、制御部材として機能する。好ましくは、ねじ付きピン３８ａは、スプライン軸３２と一体的に回転する。
【０１２５】
ねじ付きピン３８ａを一方向に回転させることによって、スプライン軸３２は、軸Ｚａを中心として回転し、パネル２０の内面に向かって押し出される。スプライン軸３２の回転は、２つの傘歯車３９ａ，３９ｂによってねじ付き棒３９ｃに伝達される。このねじ付き棒３９ｃは、リードスクリュー３９ｄと協働して、第２のスライド３３のパネルの中心線への平行移動を制御する。
【０１２６】
図７〜図８は、本発明に係る型枠の別の変形例を示している。
【０１２７】
この変形例において、駆動機構４１，４２は、一端部４３'が支柱２６ａ，２６ｂにヒンジ接続された第１のロッド４３と、一端部４４'が支柱２７ａ，２７ｂにヒンジ接続された第２のロッド４４とを備えている。第３のロッド４５は、一端部４５'が梁１０にヒンジ接続され、反対側の端部４５”が第２のロッド４４の他端部４４”にヒンジ接続されている。第３のロッド４５は、中間点で、第１のロッド４３の端部４３’にヒンジ接続されている。
【０１２８】
第２のロッド４４及び第３のロッド４５の端部４４”及び４５”は、制御部材４７に接続されている。制御部材４７は、梁１０に回転可能に取り付けられたねじ付きスリーブ１４にねじ込み可能なねじ付き棒４７ａを備えている。
【０１２９】
梁１０の軸Ｘに対して平行な軸Ｘａを中心とするスリーブ１４の回転は、パネル２０の中心線から離れる又はパネル２０の中心線に向かう軸Ｘａに沿ったねじ棒４７ａの移動を引き起こす。
【０１３０】
この移動は、第１のロッド４３、第２のロッド４４、及び第３のロッド４５を移動させて、中間点２４ａ，２４ｂ及び縁点２５ａ，２５ｂの位置を変化させ、パネル２０を湾曲させる。
【０１３１】
図７及び図８に示す変形例においては、両方の駆動機構４１，４２のねじ付き棒４７ａが同じスリーブ１４に収容されている。スリーブ１４の回転により、ねじ付き棒４７ａが反対方向に同時に平行移動し、パネル２０の対称的な湾曲が確保される。
【０１３２】
図示されていない別の変形例によれば、制御部材は、第２のロッド４４及び第３のロッド４５の端部４４”及び４５”に接続されたねじ付きブロックを備えてもよい。その代わりに、ねじ付き棒４７ａは、軸Ｘａを中心として回転し得る支持体内に収容される。この変形例によれば、ねじ付き棒４７ａの回転がねじ付きブロックの移動を引き起こし、それにより第２のロッド４４及び第３のロッド４５の移動を引き起こし、その結果として第１のロッド４３の移動を引き起こす。
【０１３３】
非対称の湾曲外形を得るために、ねじ付き棒４７ａの移動を調整又は独立させてもよい。
【０１３４】
図９は、本発明に係る型枠１の別の変形例を示している。調整装置３０は、中間点２４ａで支柱２６ａに接続され、各縁点２５ａ，２５ｂで２つの支柱２７ａ，２７ｂに接続された単一の駆動機構３１を備えている。
【０１３５】
詳細には、駆動機構３１は、梁１０の軸Ｘに対して略交差する（好ましくは垂直）方向Ｚａに沿って摺動し得るように、梁１０のガイド１２に取り付けられた第１のスライド３２を備えている。駆動機構３１は、更に、梁１０上の各ガイド１３に取り付けられ、梁１０の軸Ｘに対して略平行な方向Ｘａに沿って摺動する一対の第２のスライド３３を備えている。
【０１３６】
第１のスライド３２及び第２のスライド３３は、それぞれ支柱２６ａ及び支柱２７ａ，２７ｂに接続されている。
【０１３７】
第１のスライド３２に関連付けられた２つのラック３４は、一対のギア３６によって各第２のスライド３３上の各ラック３５に接続されている。
【０１３８】
この変形例において、第１のスライド３２及び２つの第２のスライド３３は、各方向Ｚａ，Ｘａで同じ振幅の移動を実行する（２つの第２のスライド３３は互いに反対方向に移動を実行する）ように拘束されている。
【０１３９】
この変形例によれば、前述の変形例と同様に、方向Ｚａに第１のスライド３２を移動することによって、パネル２０の完全且つ対称的な湾曲を得ることが可能である。
【０１４０】
駆動機構３１に単純なギアホイール３６の代わりに一対のギア列を設けて、同じ変形例を実施してもよい。
【０１４１】
図１０は、本発明に係る型枠１の更に簡略化された変形例を示している。この変形例において、調整機構は、中間点２４ａで、より正確にはパネル２０の中心線で支柱２６ａに接続され、縁点２５ａで支柱２７ａに接続された駆動機構３１を備えている。
【０１４２】
反対側の縁点２５ｂ上の支柱２７ｂは、梁１０にヒンジ接続されている。
【０１４３】
駆動機構３１は、図１及び図２に示した変形例のものと略同一である。
【０１４４】
第１のスライド３２及び第２のスライド３３は、前述のようなギアホイール３６又はギア列によって接続されている。
【０１４５】
他の変形例とは異なり、この変形例では、２つの縁点２５ａ，２５ｂのうちの１つのみが駆動機構３１に接続され、梁１０の軸Ｘに略平行な方向Ｘａに沿って移動することにより作用する。その代わりに、支柱２７ｂと梁１０との間のヒンジ部は固定されたままである。
【０１４６】
したがって、パネル２０の変形は、中間点２４ａにおける第１のスライド３２の推力とともに、第２のスライド３３によるパネル２０の反対側の端部への縁点２５ａの引っ張りによって生じる。
【０１４７】
図１１は、製品（ここではトンネルＧの内壁Ｒ）を製造するための機器１００の例を示している。当該機器１００は、互いに接続された図３及び図４の変形例に係るいくつかの型枠１を備えている。機器１００は、記載されている変形例のいずれかに係る型枠で作製されている。
【０１４８】
互いに隣接する型枠１の２つの端部の接続は、プレート１０１によって実現されることが好ましい。プレート１０１には、梁を異なる角度位置で互いに接続できるように少なくとも１つの穴１０２と少なくとも１つのスロット１０３とが設けられている。プレート１０１は、互いに隣接するパネル２０の交差方向の縁部の接着を可能にし、均一な湾曲の連続的なシャッターを生成する。
【０１４９】
型枠１０１は、打設工程中において、図面に概略的に示される既知のタイプの支持フレーム１０４によって支持される。
【０１５０】
上記説明から、本発明に従って製造された型枠は、既知の手動システムよりもパネルの湾曲の調整をより簡単で且つより迅速にすることができることがわかる。
【０１５１】
少なくとも１つの中間点における推力と少なくとも１つの縁点における引張り動作の同時作用により、作業者が所定の工作物に対して型枠を配置するために行う必要がある手動制御動作を減らすことができる。
【０１５２】
図１〜図４に示される最初の２つの変形例によれば、例えば、推力又は他の方法によって、両方の第１のスライド３２を同時に移動させることで十分に、パネルの外面全体の連続的且つ一定の湾曲を得ることができる。
【０１５３】
同じ動作が、単一の第１のスライド３２を移動させてパネルの外面を均一に曲げる図９及び図１０の変形例に対して実行されてもよい。
【０１５４】
この湾曲の調整は、型枠を支持フレーム１０４に取り付ける前に、又はその後の打設前に、地面で行うことができる。
【０１５５】
第２の場合において、必要に応じて、支持フレーム１０４に設けられ、トンネルの寸法及び形状に支持フレーム１０４を適合させるために通常使用される移動部材を利用して、第１のスライド３２の推力を加えてもよい。
【０１５６】
その代りに、図５及び図６の変形例においては、所望の湾曲に達するまで、制御部材に作用する（すなわち、ねじ付きピン３８ａを回転させる）だけで十分である。
【０１５７】
図７及び図８の変形例においては、スリーブを回転させ、所望の外形に達するまでパネルを曲げることができる。
【０１５８】
また、駆動機構は、全ての変形例において、パネルが到達する湾曲の半径が一定である場合、その湾曲の半径を示すように構成された可動部に関連付けられた指標を備えてもよい。これにより、型枠の使用が更に実用的且つ迅速になる。
【０１５９】
本発明の型枠は、完全に機械的な装置を備えるので、頑丈で、信頼性があり、安価に製造することができる。
【０１６０】
更に、パネルのいくつかの点に同時に協調して作用する駆動機構により、曲げ動作が従来技術の型枠に比べてより簡単且つ迅速に行われる。
【０１６１】
本発明は、そのいくつかの好適な実施形態に従って、例示的且つ非限定的な目的で説明されている。当業者は、他の多数の実施形態及び変形形態を見出すことができ、それらは全て特許請求の範囲の保護範囲内にある。
【図１】
2020511605.tif 000003
【図２】
2020511605.tif 000004
【図３】
2020511605.tif 000005
【図４】
2020511605.tif 000006
【図５】
2020511605.tif 000007
【図６】
2020511605.tif 000008
【図７】
2020511605.tif 000009
【図８】
2020511605.tif 000010
【図９】
2020511605.tif 000011
【図１０】
2020511605.tif 000012
【図１１】
2020511605.tif 000013
【国際調査報告】
2020511605.tif 000014
2020511605.tif 000015